(57)【要約】【課題】実生活に即した床の温度を体感できかつ持ち運びの便利な床温度体感装置を提供する。【解決手段】本発明の床温度体感装置は、箱体２の下方内部に設けられた電球６と箱体２の上面に箱体２の内部を塞ぐようにして設けられたフローリング部材７とからなる本体部１と電球６を制御する制御部１１とを備え、電球６とフローリング部材７との間に空気層８が設けられ、フローリング部材７と電球６との間に熱反射部材９が空気層の空気の対流を許容するようにして設けられ、フローリング部材７と熱反射部材９との間に温度センサ１０が設けられ、制御部１１は温度センサ１０の検出出力に基づきフローリング部材７の温度を調節する。【選択図】図１
2008111933.tif 000002
【特許請求の範囲】
【請求項１】
箱体の下方内部に設けられた熱源部と前記箱体の上面に該箱体の内部を塞ぐようにして設けられて温度を体感させるための体感部材とからなる本体部と前記熱源部を制御する制御部とを備え、前記熱源部と前記体感部材との間に空気層が設けられ、該体感部材と前記熱源部との間に熱の反射率が大きくかつ吸収率が低い材料からなる熱反射部材が空気層の空気の対流を許容するようにして設けられ、前記体感部材と前記熱反射部材との間に温度センサが設けられ、前記制御部は前記温度センサの検出温度に基づき前記体感部材の温度を調節することを特徴とする床温度体感装置。
【請求項２】
前記熱源部が電球又は蓄熱式暖房機であることを特徴とする請求項１に記載の床温度体感装置。
【請求項３】
前記箱体を構成する壁体の内面に熱の反射率が大きくかつ吸収率が低い材料からなる熱反射部材が設けられていることを特徴とする請求項１又は請求項２に記載の床温度体感装置。
【請求項４】
箱体の下方内部に設けられた冷却源と前記箱体の上面に該箱体の内部を塞ぐようにして設けられて温度を体感させるための体感部材とからなる本体部と前記冷却源を制御する制御部とを備え、前記冷却源と前記体感部材との間に空気層が設けられ、前記体感部材の下方に温度センサが設けられ、前記箱体を構成する壁体の内面に熱の反射率が大きくかつ吸収率が低い材料からなる熱反射部材が設けられ、前記制御部は前記温度センサの検出温度に基づき前記体感部材の温度を調節することを特徴とする床温度体感装置。
【発明の詳細な説明】
【技術分野】
【０００１】
本発明は、床の温度を擬似的に感得することのできる床温度体感装置に関する。
【背景技術】
【０００２】
従来から、窓ガラスの相違による遮熱の効果を擬似的に体感することのできる遮熱効果体感装置が知られている（例えば、特許文献１参照。）。
【０００３】
この遮熱効果体感装置は、熱源としてのライトを直接ガラスに照射して、ガラスの遮熱効果を体感する構造となっている。
【特許文献１】特許第３６５７４２６号
【発明の開示】
【発明が解決しようとする課題】
【０００４】
しかしながら、太陽光はむらなくガラス面に照射されるのであり、この従来の遮熱効果体感装置は、ライトによる照射であるので、ガラス面に照射むらが生じ、実生活に即した遮熱効果を体感できるとは必ずしもいえない構造となっている。また、簡単に持ち運びができないという不都合がある。
【０００５】
更に、ガラス面に温度むらが生じているので、ガラス面に対して手をかざす場所が異なると、体感が異なるという不具合がある。
【０００６】
従って、この従来の遮熱効果体感装置を床温度度体感装置に単に適用したとしても、実生活に即した床の温度を体感できないという不都合がある。
【０００７】
本発明は、上記の事情に鑑みて為されたもので、実生活に即した床の温度を体感できかつ持ち運び便利な床温度体感装置を提供することにある。
【課題を解決するための手段】
【０００８】
請求項１に記載の床温度体感装置は、箱体の下方内部に設けられた熱源部と前記箱体の上面に該箱体の内部を塞ぐようにして設けられて温度を体感させるための体感部材とからなる本体部と前記熱源部を制御する制御部とを備え、前記熱源部と前記体感部材との間に空気層が設けられ、該体感部材と前記熱源部との間に熱の反射率が大きくかつ吸収率が低い材料からなる熱反射部材が対流を許容するようにして設けられ、前記体感部材と前記熱反射部材との間に温度センサが設けられ、前記制御部は前記温度センサの検出温度に基づき前記体感部材の温度を調節することを特徴とする。
【０００９】
請求項２に記載の床温度体感装置は、請求項１に記載の床温体感装置において、前記熱源部が電球又は蓄熱式暖房機であることを特徴とする。
【００１０】
請求項３に記載の床温体感装置は、請求項１又は請求項２に記載の床温体感装置において、前記箱体を構成する壁体の内面に熱の反射率が大きくかつ吸収率が低い材料からなる熱反射部材が設けられていることを特徴とする。
【００１１】
請求項４に記載の床温度体感装置は、箱体の下方内部に設けられた冷却源と前記箱体の上面に該箱体の内部を塞ぐようにして設けられて温度を体感させるための体感部材とからなる本体部と前記冷却源を制御する制御部とを備え、前記冷却源と前記体感部材との間に空気層が設けられ、前記体感部材の下方に温度センサが設けられ、前記箱体を構成する壁体の内面に熱の反射率が大きくかつ吸収率が低い材料からなる熱反射部材が設けられ、前記制御部は前記温度センサの検出温度に基づき前記体感部材の温度を調節することを特徴とする。
【発明の効果】
【００１２】
請求項１〜請求項３に記載の発明によれば、熱源部と体感部材との間に空気層を設けると共に、熱源部と体感部材との間に熱反射部材を設け、熱源部からの輻射により体感部材を直接暖めるのではなく、体感部材の全面を空気の対流により間接的に暖めることにしたので、体感部材の全面をむらなく暖めることができ、実生活に即した床の温度を体感できるという効果を奏する。
【００１３】
また、温度センサにより設定温度を監視し、熱源部をコントロールして体感部材の温度調節を行う構成であるので、体感部材の温度調整を容易に行うことができ、構造も簡単であるので、持ち運びにも便利である。
【００１４】
例えば、体感部材の表面温度を低温から高温までの広範囲に渡ってきめ細かに調節して設定できるという効果、住宅展示場に来店して頂き床温度を体感して頂くことや、顧客の自宅に持参して自宅の床温度と床を暖めたときの床温度との相違を体感して頂くことができる。
【００１５】
更に、請求項３に記載の発明によれば、箱体を構成する壁体の内壁にも熱の反射率が大きくかつ吸収率が低い材料からなる熱反射部材を設けたので、熱効率の向上を図ることができる。
【００１６】
請求項４に記載の発明によれば、冷却源を用いて体感部材を冷やすことにすると、床温度体感装置として冷却源と熱源とを用い、夏場に冷えた床と暖めた床とを比較させることによって、夏場でも冬の冷えた床を顧客にイメージして頂いて、冬場の暖めた床の快適性を顧客に体感して頂くことができる。
【発明を実施するための最良の形態】
【００１７】
以下に、本発明に係わる床温体感装置の発明の実施の形態を図面を参照しつつ説明する。
【実施例】
【００１８】
図１は本発明に係わる床温度体感装置の実施例を示す説明図であって、この図１において、１は本体部である。この本体部１は箱体２を有し、箱体２は底部壁体３と側部壁体４とから構成されている。その箱体２の各壁体の内面には、熱の反射率が大きくかつ吸収率が低い材料からなる熱反射部材としてのアルミニウム箔５が貼られている。
【００１９】
箱体２の内部でかつ底部壁体３の上面には、熱源部としての電球６が設けられている。箱体２の上面にはこの箱体２の内部を塞ぐようにして温度を体感させるための体感部材としてのフローリング部材７が設けられている。
【００２０】
箱体２には電球６とフローリング部材７との間に空気層８が設けられている。フローリング部材７と電球６との間に熱の反射率が大きくかつ吸収率が低い材料からなる熱反射部材としてのアルミニウム板９が対流を許容するようにして設けられている。
【００２１】
フローリング部材７の下面には温度センサ１０が設けられている。この温度センサ１０は電球６をオンオフ制御する制御部１１に接続され、制御部１１は電源１２から電力が供給されて、温度センサ１０の検出温度に基づきフローリング部材７の温度を調節する。
【００２２】
ここでは、温度センサ１０はフローリング部材７の下面に設けられているが、アルミニウム板９とフローリング部材７との間に温度センサ１０を設けてもよい。
【００２３】
この発明の実施例１によれば、制御部１１により温度を設定し、温度センサ１０により検出温度と設定された床温度とを比較して、電球６をオン・オフ制御することにより、フローリング部材７の床温度を設定温度に設定できる。
【００２４】
また、電球６とフローリング部材７との間に空気層８を設けると共に、電球６とフローリング部材７との間にアルミニウム板９を設け、フローリング部材７の全面を空気の対流により間接的に暖めることにしたので、フローリング部材７の全面をむらなく暖めることができ、実生活に即した床の温度を体感できるという効果を奏する。
【００２５】
また、温度センサ１０により設定温度を監視し、電球６をコントロールしてフローリング部材７の温度調節を行う構成であるので、フローリング部材７の温度調整を容易に行うことができ、構造も簡単であるので、持ち運びにも便利である。
【００２６】
なお、フローリング部材７は、手で床の温度を体感する場合には、縦横２５０ｍｍ×２００ｍｍ程度の大きさ、足で体感する場合には縦横３５０ｍｍ×２００ｍｍ程度の大きさが望ましい。
【００２７】
図２は本発明に係わる床温度体感装置の他の実施例を示す図であり、この図２に示す実施例の場合には、熱源部として電球６の代わりに蓄熱式暖房機１３を設ける構成としたものであり、その他の構成は図１に示す床温度体感装置と同一であるので、同一構成要素に同一符号を付してその詳細な説明は省略する。
【００２８】
図３は本発明に係わる床温度体感装置の他の実施例を示す図であり、この図３に示す実施例の場合には、本体部１の箱体２を構成する底部壁体３に冷却源としての冷風装置１４を設ける構成としたものであり、その他の構成は、アルミニウム板９が設けられていない点を除いて、図１に示す実施例と同一であるので、同一構成要素に同一符号を付してその詳細な説明は省略する。
【００２９】
この図３に示す床温度体感装置と図１又は図２に示す床温度体感装置とを併用すると、夏場に冷えた床と暖めた床とを比較させることによって、夏場でも冬の冷えた床を顧客にイメージして頂いて、冬場の暖めた床の快適性を顧客に体感して頂くことができる。
【００３０】
なお、体感部材には、フローリング部材７の他、床下地材とフローリング部材を組み合わせた部材、床下地材と畳とを組み合わせたもの、床下地材とタイルとを組み合わせたもの、床下地材とクッションフロアーを組み合わせたもの等が含まれる。
【図面の簡単な説明】
【００３１】
【図１】本発明に係わる床温度体感装置の実施例を説明するための断面図である。
【図２】図１に示す床温度体感装置の他の実施例を説明するための断面図である。
【図３】図１に示す床温度体感装置の更に他の実施例を説明するための断面図である。
【符号の説明】
【００３２】
１…本体部
２…箱体
６…電球
７…フローリング部材
８…空気層
９…アルミニウム板（熱反射部材）
１０…温度センサ
１１…制御部
【図１】
2008111933.tif 000003
【図２】
2008111933.tif 000004
【図３】
2008111933.tif 000005